(57)【特許請求の範囲】
【請求項１】
レンズユニットを備えた鏡筒と、この鏡筒を保持する繰出しリングと、この繰出しリングを回動自在かつ光軸方向に移動自在に支持するホルダと、前記繰出しリングを保持するカバーと、前記繰出しリングと前記ホルダとの何れか一方の当接面に形成される高さが異なる３つ以上の段差状のカム面と、前記繰出しリングと前記ホルダとの何れか他方の当接面に形成される前記カム面と係合可能な当接部と、前記繰出しリングを回転させて前記カム面と当接部との係合位置を切り換える操作ノブとを備え、前記操作ノブによる繰出しリングの回転によって前記各カム面と当接部との係合により、少なくとも通常撮影モードと過焦点モード及びマクロ撮影モードの何れか撮影モードでの焦点を選択的に切り換え操作可能としたレンズ繰出し装置であって、前記繰出しリングと前記カバーとの間に弾性変形可能な合成ゴム材から成る弾性体を設け、前記繰出しリングの外周に前記弾性体を載置するフランジ部を突出形成し、このフランジ部と前記カバーとの間に前記弾性体を圧縮状態で介在さるとともに、該弾性体が前記繰出しリングを取り囲む円筒部と、この円筒部の上端部に位置して水平方向に延びる鍔部と該鍔部の周縁から立設する立ち上がり部とから成る断面略Ｌ字状の屈曲部とを備え、前記立ち上がり部を前記カバーに圧接させることによって、前記屈曲部を撓ませ、その復元力により、前記カム面に前記当接部を押し付けるように付勢したことを特徴とするレンズ繰出し装置。
【請求項２】
前記ホルダは、前記繰出しリングを支持する矩形枠状の載置部と、この載置部の各コーナー部に位置して突出形成したボス部とを備えるとともに、前記カバーは、少なくとも前記載置部にほぼ対応する矩形状の平板部を備え、この平板部のコーナー部を前記ボス部に載置して前記ホルダと前記カバーとを一体化するとともに、前記弾性体の立ち上がり部は、前記カバーのコーナー部に対応して断続的に設けられていることを特徴とする請求項１記載のレンズ繰出し装置。
【請求項３】
レンズユニットを備えた鏡筒と、この鏡筒を保持する繰出しリングと、この繰出しリングを回動自在かつ光軸方向に移動自在に支持するホルダと、前記繰出しリングを保持するカバーと、前記繰出しリングと前記ホルダとの何れか一方の当接面に形成される高さが異なる３つ以上の段差状のカム面と、前記繰出しリングと前記ホルダとの何れか他方の当接面に形成される前記カム面と係合可能な当接部と、前記繰出しリングを回転させて前記カム面と当接部との係合位置を切り換える操作ノブとを備え、前記操作ノブによる繰出しリングの回転によって前記各カム面と当接部との係合により、少なくとも通常撮影モードと過焦点モード及びマクロ撮影モードの何れか撮影モードでの焦点を選択的に切り換え操作可能としたレンズ繰出し装置であって、前記カバーを金属板で形成し、前記ホルダには前記磁性体として複数の磁石を設けるとともに、前記カバーに前記磁石と対向する複数の腕片を垂設し、この腕片と前記磁石との磁気的な吸引力によって前記カム面に前記当接部を押し付けるように付勢したことを特徴とするレンズ繰出し装置。
【請求項４】
前記レンズ繰出し装置が、携帯電話機に組み付けられることを特徴とする請求項１〜３の何れか１項に記載のレンズ繰出し装置
【発明の詳細な説明】
【技術分野】
【０００１】
本発明は、光学系機器におけるレンズ繰出し装置、特に、カメラ機能を備えた携帯電話機に組み付けられるレンズユニットの焦点調整機構に関し、通常撮影位置と過焦点位置及びマクロ撮影位置において焦点合わせを可能とするレンズ繰出し装置に関する。
【背景技術】
【０００２】
近年、携帯電話に搭載したカメラの機能として通常撮影とマクロ撮影が選択可能としたものが知られている。このようなカメラ付き携帯電話におけるマクロ撮影用レンズ繰出し装置として本願出願人は、特許文献１において、ＣＣＤ等が組込まれたホルダと、このホルダに組み込まれるレンズユニットを内蔵する鏡筒と、この鏡筒を螺着する繰出しリングと、前記ホルダと繰出しリングとの間に介在して繰出しリングのガタ付きを防止する弾性体と、繰出しリングに装着した操作ノブとから構成され、繰出しリングを操作用ノブと一体で回動することにより、ホルダの雌ネジと繰出しリングの雄ネジの螺合により繰出しリングを光軸方向に進退（上下動）させて通常撮影とマクロ撮影とを切り換えるように構成したマクロ撮影用レンズ繰出し装置を提案している。
【０００３】
また、近年、携帯電話に搭載するカメラは、技術的進化の高速化により、搭載するカメラは益々高性能化され、画素数などのスペック自体は一般のデジタルカメラ並みとなってきている。特に、カメラの画素数の増大という高性能化と低背化に伴い、焦点距離も短くなってきているが、カメラのレンズは、焦点距離が短くなるほど、被写界深度、すなわち、ピントが合っているように見える領域も広がり、特に、通常撮影モードにおいて過焦点距離と最至近距離が自ずと長くなってしまう。この為、マクロ撮影モードでピントが合っているように見える領域を含んだとしても、通常撮影モードの最至近距離とマクロ撮影モードの奥側深度まで、ピントの合わない範囲が生じてしまうことから、特許文献１のような通常撮影とマクロ撮影の２段階の切り換えだけの構成では、ピントの合わない距離ができ、ユーザがピントを合せているつもりで撮影しているにも拘らず、ユーザが意図しない不鮮明な写真が撮影されてしまう、といったことが起こり得る。このような課題を解決するために、本願出願人は、特許文献２で示すように、ホルダに高さが異なる３つの段差状のカム面を形成するとともに、繰出しリングにカム面と係合する当接部を形成し、コイルバネによって常時、繰出しリングの当接部をホルダのカム面に押し付け、繰出しリングの回転によって繰出しリングの当接部と係合するカム面を選択的に切り換えることによって、通常撮影モードと過焦点モード及びマクロ撮影モードの３つの撮影モードでの焦点の切り換えを可能としたレンズ繰出し装置を出願している。
【０００４】
【特許文献１】特開２００３−３３７２７９号公報
【特許文献２】特願２００７−１０３１４６号
【発明の開示】
【発明が解決しようとする課題】
【０００５】
しかし、特許文献２に示すレンズ繰出し装置は、ホルダのカム面に繰出しリングの当接部を押し付ける付勢部材としてコイルバネを用いているが、コイルバネではバネの圧縮方向にスペースが必要となり、レンズ繰出し装置の高さ寸法を抑えることができない。このため、この種のレンズ繰出し装置をカメラ機能を備えた携帯電話に組み込む場合、携帯電話の薄型化が困難となる。また、コイルバネに変えて板バネを用いることも考えられるが、板バネでは曲げ角度のバラツキや変形により均一に荷重を与えることが困難であるとともに、携帯電話に組み込まれるレンズ繰出し装置自体が小さな部品であるから、ホルダのカム面に繰出しリングの当接部を押し付ける板バネも極めて小さく、ホルダのカム面に繰出しリングの当接部を均一に押し付けるための形状とするには極めて複雑な形状となり、成型加工も面倒であり、生産性が悪化するなどの問題もある。
【０００６】
本発明は上述した問題点に鑑みてなされたものであり、形成加工が容易で、レンズ繰出し装置自体の薄型化が可能であるとともに、カム面に対して当接部を均一に押し付けて少なくとも通常撮影モードと過焦点モード及びマクロ撮影モードの３つの撮影モードでの焦点の切り換えをスムーズに行うことができるレンズ繰出し装置を提供することを目的とする。
【課題を解決するための手段】
【０００７】
本発明は、レンズユニットを備えた鏡筒と、この鏡筒を保持する繰出しリングと、この繰出しリングを回動自在かつ光軸方向に移動自在に支持するホルダと、前記繰出しリングを保持するカバーと、前記繰出しリングと前記ホルダとの何れか一方の当接面に形成される高さが異なる３つ以上の段差状のカム面と、前記繰出しリングと前記ホルダとの何れか他方の当接面に形成される前記カム面と係合可能な当接部と、前記繰出しリングを回転させて前記カム面と当接部との係合位置を切り換える操作ノブとを備え、前記操作ノブによる繰出しリングの回転によって前記各カム面と当接部との係合により、少なくとも通常撮影モードと過焦点モード及びマクロ撮影モードの何れか撮影モードでの焦点を選択的に切り換え操作可能としたレンズ繰出し装置であって、前記繰出しリングと前記カバーとの間に弾性変形可能な合成ゴム材から成る弾性体を設け、前記繰出しリングの外周に前記弾性体を載置するフランジ部を突出形成し、このフランジ部と前記カバーとの間に前記弾性体を圧縮状態で介在させ、前記カム面に前記当接部を押し付けるように付勢したレンズ繰出し装置である。
【０００８】
これにより、ホルダに組み付けられた繰出しリングは、ホルダに沿って回動自在に保持され、かつ、カバーとホルダとの間に位置して光軸方向に移動自在に配置される。この時、繰出しリングとホルダとの何れか一方の当接面に形成する当接部が他方に形成する複数の何れかのカム面と係合する。また、繰出しリングとカバーとの間に介在する弾性体は、カバーによって下方に押されて圧縮し、その弾性復元力によって当接部がカム面の何れかに押し付けられる。そして、最も低いカム面と当接部との係合時において、通常撮影位置でレンズユニットの焦点距離が合った状態、最も高いカム面と当接部との係合時において、マクロ撮影位置でレンズユニットの焦点距離が合った状態、これら各カム面の中間の高さのカム面と当接部との係合時において、過焦点撮影位置でレンズユニットのピントが合った状態であり、これら各カム面と当接部との係合を切り換えることで通常撮影位置、過焦点撮影位置、マクロ撮影位置での焦点合わせが可能となるとともに、弾性体の付勢力によって、通常撮影位置、過焦点撮影位置、マクロ撮影位置の各撮影位置において繰出しリングを保持することが可能である。
【０００９】
そして、本発明の請求項１記載のレンズ繰出し装置は、前記レンズ繰出し装置において、レンズ繰出し装置前記弾性体が前記繰出しリングを取り囲む円筒部と、この円筒部の上端部に位置して水平方向に延びる鍔部と該鍔部の周縁から立設する立ち上がり部とから成る断面略Ｌ字状の屈曲部とを備え、前記立ち上がり部を前記カバーに圧接させることによって、前記屈曲部を撓ませ、その復元力により、前記カム面に前記当接部を押し付けるように付勢したことを特徴とする。
【００１０】
請求項１の構成により、繰出しリングとカバーとの間に介在する弾性体は、弾性体の立ち上がり部がカバーによって下方に押されて撓み、その弾性復元力によって当接部がカム面の何れかに押し付けられる。そして、繰出しリングの回転によって各カム面と当接部との係合が切り換わり、通常撮影位置、過焦点撮影位置、マクロ撮影位置での焦点合わせが可能となる。
【００１１】
本発明の請求項２記載のレンズ繰出し装置は、前記ホルダは、前記繰出しリングを支持する矩形枠状の載置部と、この載置部の各コーナー部に位置して突出形成したボス部とを備えるとともに、前記カバーは、少なくとも前記載置部にほぼ対応する矩形状の平板部を備え、この平板部のコーナー部を前記ボス部に載置して前記ホルダと前記カバーとを一体化するとともに、前記弾性体の立ち上がり部は、前記カバーのコーナー部に対応して断続的に設けられていることを特徴とする。
【００１２】
請求項２の構成により、ホルダとカバーとが矩形状であるのに対し、弾性体は全体として円筒状であるから、立ち上げ部を環状に形成した場合、カバーの１辺は立ち上げ部の直径と同じ長さとしなければカバーからはみ出してしまうが、カバーのコーナー部に対応して断続的に設けることで、ホルダとカバーの形状をコンパクト化することが可能であるとともに、立ち上げ部の弾性復元力が弾性体に全体的に伝わり、当接部が各カム面に対して均一に押圧力を与えることが可能となる。
【００１３】
さらに、本発明は、レンズユニットを備えた鏡筒と、この鏡筒を保持する繰出しリングと、この繰出しリングを回動自在かつ光軸方向に移動自在に支持するホルダと、前記繰出しリングを保持するカバーと、前記繰出しリングと前記ホルダとの何れか一方の当接面に形成される高さが異なる３つ以上の段差状のカム面と、前記繰出しリングと前記ホルダとの何れか他方の当接面に形成される前記カム面と係合可能な当接部と、前記繰出しリングを回転させて前記カム面と当接部との係合位置を切り換える操作ノブとを備え、前記操作ノブによる繰出しリングの回転によって前記各カム面と当接部との係合により、少なくとも通常撮影モードと過焦点モード及びマクロ撮影モードの何れか撮影モードでの焦点を選択的に切り換え操作可能としたレンズ繰出し装置であって、前記カバーと前記ホルダとの一方に磁性体を設け、他方には前記磁性体と磁気的に引き合う金属体を備え、この金属体と磁性体との磁気的な吸引力によって前記カム面に前記当接部を押し付けるように付勢したレンズ繰出し装置である。
【００１４】
これにより、金属体と磁性体との磁気的な吸引力によって当接部がカム面の何れかに押し付けられ、繰出しリングの回転によって各カム面と当接部との係合が切り換わる。これにより、通常撮影位置、過焦点撮影位置、マクロ撮影位置での焦点合わせが可能となる。
【００１５】
そして、本発明の請求項３記載のレンズ繰出し装置は、前記カバーと前記ホルダとの一方に磁性体を設け、他方には前記磁性体と磁気的に引き合う金属体を設けたレンズ繰出し装置において、前記カバーを金属板で形成し、前記ホルダには前記磁性体として複数の磁石を設けるとともに、前記カバーに前記磁石と対向する複数の腕片を垂設したことを特徴とする。
【００１６】
請求項３の構成により、繰出しリングの前面側にカバーを被せることによって、金属製のカバーに形成する腕片がホルダに埋設する磁石と対向し、その磁気的な引き合いによって、当接部が各カム面の何れかに押し付けられる。そして、繰出しリングの回転によってカム面と当接部との係合が切り換わり、通常撮影位置、過焦点撮影位置、マクロ撮影位置での焦点合わせが可能となる。
【００１７】
本発明の請求項４記載のレンズ繰出し装置は、前記レンズ繰出し装置が、携帯電話機に組み付けられることを特徴とする。
【００１８】
請求項４の構成により、携帯電話機に組み込まれるカメラ機能として、通常撮影位置、過焦点撮影位置、マクロ撮影位置の各撮影位置において正確に焦点合わせが可能となる。
【発明の効果】
【００１９】
本発明のレンズ繰出し装置によれば、レンズユニットを備えた鏡筒と、この鏡筒を保持する繰出しリングと、この繰出しリングを回動自在かつ光軸方向に移動自在に支持するホルダと、このホルダに前記繰出しリングを保持するカバーと、前記繰出しリングと前記ホルダとの何れか一方の当接面に形成される高さが異なる３つ以上の段差状のカム面と、前記繰出しリングと前記ホルダとの何れか他方の当接面に形成される前記カム面と係合可能な当接部と、前記繰出しリングを回転させて前記カム面と当接部との係合位置を切り換える操作ノブとを備え、前記操作ノブによる繰出しリングの回転によって前記各カム面と当接部との係合により、少なくとも通常撮影モードと過焦点モード及びマクロ撮影モードの何れか撮影モードでの焦点を選択的に切り換え操作可能としたレンズ繰出し装置であって、前記繰出しリングと前記カバーとの間に弾性変形可能な合成ゴム材から成る弾性体を設け、前記繰出しリングの外周に前記弾性体を載置するフランジ部を突出形成し、このフランジ部と前記カバーとの間に前記弾性体を圧縮状態で介在させ、前記カム面に前記当接部を押し付けるように付勢したものであるから、カム面の何れかに当接部を安定した状態で押し付けることができる。これにより、繰出しリングがガタ付くことなく、当接部とカム面とが確実に係合し、通常撮影と過焦点撮影及びマクロ撮影での切り換え操作もスムーズである。また、弾性体は合成ゴム材による一体成型品であり、成型加工も容易である。
【００２０】
本発明の請求項１記載のレンズ繰出し装置によれば、前記弾性体が前記繰出しリングを取り囲む円筒部と、この円筒部の上端部に位置して水平方向に延びる鍔部と該鍔部の周縁から立設する立ち上がり部とから成る断面略Ｌ字状の屈曲部とを備え、前記立ち上がり部を前記カバーに圧接させることによって、前記屈曲部を撓ませ、その復元力により、前記カム面に前記当接部を押し付けるように付勢したものであるから、カバーとホルダとの間に介在する弾性体は、鍔部の周縁から立設する立ち上がり部が部分的に撓み、その弾性復元力によってカム面の何れかに当接部を安定した状態で押し付けることができるから、コイルバネなどを全体的に圧縮させて、カム面の何れかに当接部を押し付ける場合に比べてバネの圧縮方向のスペースが少なく、製品全体として薄型化を図ることができる。
【００２１】
本発明の請求項２記載のレンズ繰出し装置によれば、前記ホルダは、前記繰出しリングを支持する矩形枠状の載置部と、この載置部の各コーナー部に位置して突出形成したボス部とを備えるとともに、前記カバーは、少なくとも前記載置部にほぼ対応する矩形状の平板部を備え、この平板部のコーナー部を前記ボス部に載置して前記ホルダと前記カバーとを一体化するとともに、前記弾性体の立ち上がり部は、前記カバーのコーナー部に対応して断続的に設けられているから、効果としてコンパクト化と立ち上がり部の長さで復元力の調整が可能である。
【００２２】
また、本発明のレンズ繰出し装置によれば、レンズユニットを備えた鏡筒と、この鏡筒を保持する繰出しリングと、この繰出しリングを回動自在かつ光軸方向に移動自在に支持するホルダと、前記繰出しリングを保持するカバーと、前記繰出しリングと前記ホルダとの何れか一方の当接面に形成される高さが異なる３つ以上の段差状のカム面と、前記繰出しリングと前記ホルダとの何れか他方の当接面に形成される前記カム面と係合可能な当接部と、前記繰出しリングを回転させて前記カム面と当接部との係合位置を切り換える操作ノブとを備え、前記操作ノブによる繰出しリングの回転によって前記各カム面と当接部との係合により、少なくとも通常撮影モードと過焦点モード及びマクロ撮影モードの何れか撮影モードでの焦点を選択的に切り換え操作可能としたレンズ繰出し装置であって、前記カバーと前記ホルダとの一方に磁性体を設け、他方には前記磁性体と磁気的に引き合う金属体を備え、この金属体と磁性体との磁気的な吸引力によって前記カム面に前記当接部を押し付けるように付勢したものであるから、カバーとホルダとの間にカム面に当接部を押し付けるために付勢するための付勢部材が不要となるから、製品全体として薄型化を図ることができるとともに、部品点数の削減により組み付け作業性にも優れる。
【００２３】
本発明の請求項３記載のレンズ繰出し装置によれば、前記カバーと前記ホルダとの一方に磁性体を設け、他方には前記磁性体と磁気的に引き合う金属体を設けたレンズ繰出し装置において、前記カバーを金属板で形成し、前記ホルダには前記磁性体として複数の磁石を設けるとともに、前記カバーに前記磁石と対向する複数の腕片を垂設したものであるから、金属板から成るカバーとホルダに設けた磁石との磁気的な吸引力によって前記カム面に前記当接部を押し付けるように付勢することができる。
【００２４】
本発明の請求項４記載のレンズ繰出し装置は、前記レンズ繰出し装置が、携帯電話機に組み付けられるものであるから、オートフォーカスなどの複雑な機構を用いることなく、各撮影モードにおいて、正確にピント合わせを行うことができる。
【発明を実施するための最良の形態】
【００２５】
本発明の実施の形態を実施例に基づき図面を参照して説明する。
【実施例１】
【００２６】
本発明の実施の形態を実施例に基づき図面を参照して説明する。図１は本発明の実施例１を示すレンズ繰出し装置の分解斜視図、図２はレンズ繰出し装置を組み付けた状態の斜視図、図３はレンズ繰出し装置の平面図、図４は図３のＡ−Ａ線断面図、図５は図３のＢ−Ｂ線断面図、図６（Ａ）はホルダの平面図、図６（Ｂ）はホルダの正面図、図７は繰出しリングの底面図である。
【００２７】
本発明の実施例におけるマクロ撮影用レンズ繰出し装置は、ＣＣＤ等の撮像素子が組込まれたホルダ１と、レンズユニット７が組込まれた鏡筒１０と、この鏡筒１０を光軸方向に位置調整可能に保持する繰出しリング１５と、前記ホルダ１に前記繰出しリング１５を保持するカバー２０などから構成されている。なお、これらの構成部品は樹脂による一体成形品である。
【００２８】
ホルダ１は、レンズ繰出し装置のベースであって、図６に示すように前記繰出しリング１５を支持する枠状の載置部２を備え、この載置部２のコーナーに位置して前記カバー２０を固定するための４本のボス部３が一体形成されている。また、載置部２と前記各ボス部３の内側には、繰出しリング１５を回動自在に案内するリング状の案内筒部５Ａと円弧状の案内壁部５Ｂとが形成され、このリング状の案内筒部５Ａと案内壁部５Ｂに沿って繰出しリング１５が回動自在に保持され、かつ、該ボス部３に固定した前記カバー２０とホルダ１の載置部２との間に位置して繰出しリング１５が光軸方向に移動自在に配置されている。また、載置部２には、案内壁部５Ｂの内側に位置して開口部６が形成されている。
【００２９】
繰出しリング１５は、前記鏡筒１０を組み込むための円筒部１６を有し、この円筒部１６の内周面に形成した雌ネジ１６Ａに前記鏡筒１０の外周面に形成した雄ネジ１０Ａを螺着している。また、前記ホルダ１の載置部２には、前記繰出しリング１５の高さを三段階で調整するための段差状の第1、第２、第３カム面４Ａ,４Ｂ,４Ｃが形成され、この第１、第２、第３カム面４Ａ,４Ｂ,４Ｃと係合する当接部１７が前記繰出しリング１５の下端部から下方に向かって突出形成されている。なお、図５などで示すように第１、第２、第３カム面４Ａ,４Ｂ,４Ｃは、正方形状のホルダ１の４辺にそれぞれ形成され、これら第１、第２、第３カム面４Ａ,４Ｂ,４Ｃと係合する当接部１７は、図７に示すように、９０度の間隔毎に円筒部１６の下端部から突起状に突設されている。さらに、繰出しリング１５の円筒部１６には前記カバー２０から外方に突出するように操作ノブ１８が外方に向かって一体形成され、この操作ノブ１８を回して繰出しリング１５を回転操作することによって、前記当接部１７が第１、第２、第３カム面４Ａ,４Ｂ,４Ｃの何れかに係合する。
【００３０】
前記カバー２０は、前記繰出しリング１５を抑える平板部２１と、この平板部２１の周縁からそれぞれ相対向するように垂設された側壁部２２とを有している。前記カバー２０の前記平板部２１には前記鏡筒１０が臨む開口部２３を形成し、前記側壁部２２には、ホルダ１の外周面に形成するフック２５と係合する係止孔２６が形成されている。
【００３１】
また、繰出しリング１５の下端部周縁にはフランジ部１５Ａが形成され、このフランジ部１５Ａと前記カバー２０との間には可撓性を有する弾性変形可能な合成ゴム材から成る弾性体２８が介在している。この弾性体２８は前記繰出しリング１５を取り囲む円筒部２９と、この円筒部２９の上端部に位置して水平方向に延びる鍔部３０と該鍔部３０の周縁から立設する複数の立ち上がり部３１とから成る断面略Ｌ字状の屈曲部３２とを備えている。また、前記立ち上がり部３１は、前記カバー２０のコーナー部に対応して断続的に設けられている。そして、前記カバー２０の係止孔２６をホルダ１のフック２５に係合してホルダ１にカバー２０を固定することによって、屈曲部３２が撓み、その弾性復元力によって、前記繰出しリング１５の当接部１７を前記ホルダ１の第１、第２、第３カム面４Ａ,４Ｂ,４Ｃに押し付けように繰出しリング１５を下方に付勢している。
【００３２】
次に図６（Ａ）（Ｂ）を参照して前記ホルダ１に形成する第１、第２、第３カム面４Ａ,４Ｂ,４Ｃについて説明する。図６（Ａ）に示すように、ホルダ１の載置部２の上端縁から時計方向に沿って第１、第２、第３カム面４Ａ,４Ｂ,４Ｃが順次、段違い状に形成されている。また、ホルダ１の下端縁から第１、第２、第３カム面４Ａ,４Ｂ,４Ｃまでのそれぞれの高さｈ１,ｈ２,ｈ３は、第１カム面４Ａが０．５５ｍｍ、第２カム面４Ｂが０．５６ｍｍ、第３カム面４Ｃが０．６８ｍｍに設定されており、第１カム面４Ａが通常撮影位置、第２カム面４Ｂが過焦点撮影位置、第３カム面４Ｃがマクロ撮影位置にそれぞれ対応する。すなわち、繰出しリング１５の操作ノブ１８を操作して繰出しリング１５を時計方向に回転操作すると、繰出しリング１５の当接部１７は、順次、前記ホルダ１の第１、第２、第３カム面４Ａ,４Ｂ,４Ｃに乗り上がり、通常撮影モード、過焦点撮影モード、マクロ撮影モードへと切り替わる。
【００３３】
以上のように構成される本実施例における組立手順について説明する。まず、繰出しリング１５の下端部周縁に形成するフランジ部１５Ａ上に弾性体２８を載置するとともに、繰出しリング１５をホルダ１の載置部２に載置する。この時、繰出しリング１５の下端部から突出する当接部１７が載置部２に形成する案内筒部５Ａとボス部３の内側に形成する案内壁部５Ｂとの間に位置するとともに、当接部１７が第１、第２、第３カム面４Ａ,４Ｂ,４Ｃの何れかに乗り上がった状態で組み付けられる。そして、繰出しリング１５の前面側からカバー２０を被せ、カバー２０に形成する係止孔２６をホルダ１に形成するフック２５と引っ掛けて係合することによって繰出しリング１５をホルダ１に組み付け固定する。ホルダ１に組み付けられた繰出しリング１５は、ホルダ１の案内筒部５Ａと案内壁部５Ｂに沿って回動自在に保持され、かつ、カバー２０とホルダ１の載置部２との間に位置して光軸方向に移動自在に配置されている。さらに、繰出しリング１５のフランジ部１５Ａと前記カバー２０との間に介在する弾性体２８は、カバー２０によって下方に押され、屈曲部３２を構成する立ち上がり部３１と鍔部３０とが撓み、その弾性復元力によって前記繰出しリング１５の当接部１７が前記ホルダ１に形成する第１、第２、第３カム面４Ａ,４Ｂ,４Ｃの何れかに押し付けられる。このようにして繰出しリング１５を組み付けた後、図３に示すように、操作ノブ１８が最も時計方向となる位置（図３で実線で示す）、すなわち、繰出しリング１５の当接部１７がホルダ１に形成する第１カム面４Ａと係合する位置まで回動する。この状態で繰出しリング１５の雌ネジ１６Ａに鏡筒１０の外周面に形成された雄ネジ１０Ａに螺合し、最終的にレンズユニット７の焦点距離を調整した後、接着剤などによって繰出しリング１５と鏡筒１０とを一体化する。また、繰出しリング１５の当接部１７がホルダ１に形成する最も低い第１カム面４Ａと係合した位置が、通常撮影位置ａである。なお、繰出しリング１５は、弾性体２８の屈曲部３２の弾性復元力によって繰出しリング１５の当接部１７が第１カム面４Ａに押し付けられた状態で保持される。そして、操作ノブ１８を反時計方向に回すことによって、繰出しリング１５が回転し、繰出しリング１５の当接部１７がホルダ１に形成する中間の第２カム面４Ｂに乗り上がる。これにより、繰出しリング１５が光軸方向に移動し、弾性体２８によって、繰出しリング１５の当接部１７がホルダ１に形成する中間の第２カム面４Ｂと係合した状態で保持される。この当接部１７と第２カム面４Ｂと係合した位置が過焦点撮影位置ｂである。さらに、操作ノブ１８を反時計方向に回すと、繰出しリング１５の当接部１７がホルダ１に形成する最も高い第３カム面４Ｃに乗り上がり、繰出しリング１５が光軸方向に移動し、繰出しリング１５がマクロ撮影位置ｃで位置決め保持され、こうして鏡筒１０に組み込まれたレンズユニット７は、通常撮影位置ａ、過焦点撮影位置ｂ、マクロ撮影位置ｃでの焦点を得ることができる。なお、繰出しリング１５の当接部１７と前記ホルダ１の第１、第２、第３カム面４Ａ,４Ｂ,４Ｃとの係合の切り換えは、図３に示すように、操作ノブ１８、ひいては繰出しリング１５を２０°回転する毎、切り替わるようになっている。また、本実施例においては、通常撮影位置ａでの被写体との距離は２４５ｃｍ、過焦点撮影位置ｂでの被写体との距離は８５ｃｍ、マクロ撮影位置ｃでの被写体との距離は９ｃｍに設定されている。
【００３４】
以上のように、本実施例では、繰出しリング１５に形成する当接部１７と、ホルダ１に形成する第１、第２、第３カム面４Ａ,４Ｂ,４Ｃとを係合させて、通常撮影と過焦点撮影及びマクロ撮影との切換操作を行うことから、マクロ撮影にもかかわらず過焦点撮影でピントが合うなどといったトラブルもなく、各撮影モードにおいて、正確にピント合わせを行うことができ、撮影性能の低下を回避することができる。特に、本実施例におけるレンズ繰出し装置は携帯電話（図示せず）に組み込まれるものであり、オートフォーカスなどの複雑な機構を用いることなく、各撮影モードにおいて、正確にピント合わせを行うことができる。また、各撮影モードにおいて、繰出しリング１５とカバー２０との間に介在する弾性体２８によって、繰出しリング１５の当接部１７がホルダ１に形成する第１乃至第３カム面４Ａ〜４Ｃに押し付けられ、安定した状態で保持される。また、弾性体２８は、弾性可能な合成ゴムからなり、繰出しリング１５を外装する円筒部２９に鍔部３０と立ち上がり部３１とを形成し、これら鍔部３０と立ち上がり部３１とでＬ型の屈曲部３２を形成することで、カバー２０に押された屈曲部３２が撓み、その屈曲部３２の弾性復元力によって繰出しリング１５の当接部１７をホルダ１に形成する第１、第２、第３カム面４Ａ,４Ｂ,４Ｃの何れかに安定した状態で押し付けることができる。これにより、繰出しリング１５がガタ付くことなく、繰出しリング１５の当接部１７と第１、第２、第３カム面４Ａ,４Ｂ,４Ｃとが確実に係合し、通常撮影と過焦点撮影及びマクロ撮影での切り換え操作もスムーズである。また、弾性体２８は合成ゴムによる一体成型品であり、成型加工も容易であるとともに、弾性体２８は、繰出しリング１５を取り囲むように全体として円筒状であるが、カバー２０と当接する弾性体２８の立ち上げ部３１は、円筒部２９に対して９０度の間隔毎に一体形成され、矩形状のカバー２０のコーナー部に当接することから、立ち上げ部３１を環状に形成した場合、カバー２０の１辺は立ち上げ部３１の直径と同じ長さとしなければカバー２０からはみ出してしまう。しかし、前述したように、立ち上げ部３１がカバー２０のコーナー部に当接するように９０度の間隔毎に形成することで、カバー２０の製品形状をコンパクト化することが可能であるとともに、繰出しリング１５の当接部１７が第１、第２、第３カム面４Ａ,４Ｂ,４Ｃに対して均一に押圧力を与えることができる。また、弾性体２８に形成する屈曲部３２を撓ませ、その復元力によって繰出しリング１５の当接部１７を第１、第２、第３カム面４Ａ,４Ｂ,４Ｃに押圧させることから、コイルバネなどを用いる場合に比べバネの圧縮方向のスペースが少なく、製品全体として薄型化を図ることができる。
【実施例２】
【００３５】
図８〜図１１は本発明の実施例２を示し、前記実施例１と同一機能を有する部分には同一符号を付し、重複する部分の説明を省略し、異なる部分についてのみ説明する。
【００３６】
前記実施例１では、弾性変形可能な合成ゴム材によって弾性体２８を構成し、この弾性体２８の弾性復元力によって、繰出しリング１５の当接部１７を第１、第２、第３カム面４Ａ,４Ｂ,４Ｃに押し当てた例を示したが、本実施例においては、磁気的な吸引力によって、繰出しリング１５の当接部１７を第１、第２、第３カム面４Ａ,４Ｂ,４Ｃに押し当てる。すなわち、本実施例では、カバー４０を金属板で形成し、ホルダ５０に磁性体としての磁石５５を埋め込み、その磁石５５とカバー４０との磁気的な吸引力によって繰出しリング１５の当接部１７を第１、第２、第３カム面４Ａ,４Ｂ,４Ｃに押し付けように構成している。
【００３７】
このように、本実施例では、ホルダ５０に磁石５５を埋め込むことから、前記ホルダ５０の載置部５１は磁石５５より高い厚さを有しており、その載置部５１の各コーナーに磁石５５を埋め込んでいる。また、ホルダ５０は、繰出しリング１５を回動自在に案内する案内筒部５０Ａを備えるとともに、前記磁石５５上に位置して開口部５２が形成されている。そして、前記カバー４０には磁石５５に対応して腕片４１が垂設され、この腕片４１が前記開口部５２を介して前記ホルダ５０に埋設した磁石５５と対向している。
【００３８】
以上のように構成される本実施例では、繰出しリング１５をホルダ５０の案内筒部５０Ａに挿入するようにして繰出しリング１５の当接部１７を第１、第２、第３カム面４Ａ,４Ｂ,４Ｃの何れかに載置する。そして、繰出しリング１５の前面側にカバー４０を被せ、カバー４０の腕片４１をホルダ５０の開口部５２に挿入することによって、カバー４０と磁石５５とが磁気的に引き合い、前記繰出しリング１５の当接部１７が前記ホルダ１に形成する第１、第２、第３カム面４Ａ,４Ｂ,４Ｃの何れかに押し付けられる。このようにして繰出しリング１５を組み付けた後、図９の実線で示す位置まで回すことによって、繰出しリング１５の当接部１７がホルダ１に形成する第１カム面４Ａと係合する位置まで回動する。この状態で繰出しリング１５の雌ネジ１６Ａに鏡筒１０の外周面に形成された雄ネジ１０Ａに螺合し、最終的にレンズユニット７の焦点距離を調整した後、接着剤などによって繰出しリング１５と鏡筒１０とを一体化する。また、繰出しリング１５の当接部１７がホルダ１に形成する最も低い第１カム面４Ａと係合した位置が、通常撮影位置ａである。そして、操作ノブ１８を反時計方向に回すことによって、繰出しリング１５が回転し、繰出しリング１５の当接部１７がホルダ１に形成する中間の第２カム面４Ｂに乗り上がる。これにより、繰出しリング１５が光軸方向に移動するが、カバー４０と磁石５５との磁気的な引き合いによって、繰出しリング１５の当接部１７がホルダ１に形成する中間の第２カム面４Ｂと係合した状態で保持される。この当接部１７と第２カム面４Ｂと係合した位置が過焦点撮影位置ｂである。さらに、操作ノブ１８を反時計方向に回すと、繰出しリング１５の当接部１７がホルダ１に形成する最も高い第３カム面４Ｃに乗り上がり、繰出しリング１５が光軸方向に移動し、繰出しリング１５がマクロ撮影位置ｃで位置決め保持され、こうして鏡筒１０に組み込まれたレンズユニット７は、通常撮影位置ａ、過焦点撮影位置ｂ、マクロ撮影位置ｃでの焦点を得ることができる。
【００３９】
以上のように、本実施例では、前記実施例１と同様、繰出しリング１５に形成する当接部１７と、ホルダ１に形成する第１、第２、第３カム面４Ａ,４Ｂ,４Ｃとを係合させて、通常撮影と過焦点撮影及びマクロ撮影との切換操作を行うことから、マクロ撮影にもかかわらず過焦点撮影でピントが合うなどといったトラブルもなく、各撮影モードにおいて、正確にピント合わせを行うことができる。また、本実施例では、繰出しリング１５にカバー４０を被せ、このカバー４０とホルダ５０に埋め込んだ磁石５５との磁気的な引き合いによって、常に繰出しリング１５には、第１乃至第３カム面４Ａ〜４Ｃに向かう付勢力が付与され、繰出しリング１５の当接部１７がホルダ５０に形成する第１乃至第３カム面４Ａ〜４Ｃに押し付けられ、安定した状態で保持されるから、前記実施例のように、カバー４０とホルダ５０との間に弾性体２８を介在する必要もない。したがって、より一層、製品全体として薄型化を図ることができるとともに、部品点数の削減により組み付け作業性にも優れる。
【００４０】
以上、本発明の実施例について詳述したが、本発明は前記実施例に限定されるものではなく、本発明の要旨の範囲内で種々の変形実施が可能である。例えば、前記実施の形態では、ホルダ１側に第１、第２、第３カム面４Ａ,４Ｂ,４Ｃを設け、繰出しリング１５に当接部１７を形成した例を示したが、これとは逆に繰出しリング１５に第１、第２、第３カム面を設け、ホルダ１側に当接部を形成してもよい。また、前記実施例では、反時計方向に沿って次第に高くなる第１、第２、第３カム面４Ａ,４Ｂ,４Ｃを形成した例を示したが、反時計方向に沿って順次カム面が低くなるように形成したり、第３カム面４Ｃ、第１カム４Ａ、第２カム面４Ｂあるいは第２カム面４Ｂ、第１カム４Ａ、第３カム面４Ｃのようにバラバラに形成してもよく、要は、焦点距離を３段階に調整し得る構造であればよい。
【図面の簡単な説明】
【００４１】
【図１】本発明の実施例１を示すレンズ繰出し装置の分解斜視図である。
【図２】同上、レンズ繰出し装置を組み付けた状態の斜視図である。
【図３】同上、レンズ繰出し装置の平面図である。
【図４】同上、図３のＡ−Ａ線断面図である。
【図５】同上、図３のＢ−Ｂ線断面図である。
【図６】同上、レンズ繰出し装置のホルダを示し、図５（Ａ）はホルダの平面図、図５（Ａ）はホルダの正面図である。
【図７】同上、繰出しリングの底面図である。
【図８】本発明の実施例２を示すレンズ繰出し装置の分解斜視図である。
【図９】同上、レンズ繰出し装置の平面図である。
【図１０】図９のＣ−Ｃ線断面図である。
【図１１】図９のＤ−Ｄ線断面図である。
【符号の説明】
【００４２】
１，５０  ホルダ
２  載置部
４Ａ,４Ｂ,４Ｃ  第1、第２、第３カム面
７  レンズユニット
１０  鏡筒
１５  繰出しリング
１８  操作ノブ
２０，４０  カバー
２８  弾性体
２９  円筒部
３０  鍔部
３１  立ち上がり部
３２  屈曲部
５５  磁石（磁性体）
ａ  通常撮影位置
ｂ  過焦点撮影位置
ｃ  マクロ撮影位置
【図１】
0004901635.tif 000002
【図２】
0004901635.tif 000003
【図３】
0004901635.tif 000004
【図４】
0004901635.tif 000005
【図５】
0004901635.tif 000006
【図６】
0004901635.tif 000007
【図７】
0004901635.tif 000008
【図８】
0004901635.tif 000009
【図９】
0004901635.tif 000010
【図１０】
0004901635.tif 000011
【図１１】
0004901635.tif 000012